(57)【要約】【課題】操作すべき弁のハンドルの周囲に柱等の障害部材が存在する場合であっても、操作すべき弁のハンドルの位置に合わせて使用する固定脚の組み合わせを選択することにより、容易かつ確実に弁のハンドルの回転操作を行う。【解決手段】把持杆（２）と、該把持杆の先端側に設けられた操作部（３）と、該操作部に対して略直交して設けられた２組の固定脚（４，５；４，６）とを有する。各組の固定脚は、把持杆の軸線に対して軸対称となるとともに、把持杆の軸線に対して所定の傾斜角度となるように配設されている。【選択図】  図１
2008044062.tif 000002
【特許請求の範囲】
【請求項１】
弁のハンドル（７）を回転操作するウィルキー（１，１１，２１）であって、
把持杆（２，１２，２２）と、
該把持杆の先端側に設けられた操作部（３，１３，２３）と、
該操作部に対して略直交して設けられた２組の固定脚（４と５，４と６；１４と１５，１４と１６；２４と２５，２６と２７）とを有し、
前記各組の固定脚は、前記把持杆の軸線に対して軸対称となるとともに、前記把持杆の軸線に対して所定の傾斜角度となるように配設されていることを特徴とするウィルキー。
【請求項２】
前記操作部（３，１３）は、前記把持杆（２，１２）の軸線の延長線上に設けられた第１の操作杆（３ａ，１３ａ）と、前記把持杆の軸線に対して略直交するように交差して設けられた第２の操作杆（３ｂ，１３ｂ）とからなり、
前記固定脚は、前記第１の操作杆に設けられた第１の固定脚（４，１４）と、前記第２の操作杆の両先端部に設けられた第２の固定脚（５，１５）および第３の固定脚（６，１６）とからなり、
前記第１の固定脚と前記第２の固定脚、および前記第１の固定脚と前記第３の固定脚とがそれぞれ一組となることを特徴とする請求項１に記載のウィルキー。
【請求項３】
前記第２の操作杆（３ｂ）は、前記第１の操作杆（３ａ）の長さ方向の途中に設けられていることを特徴とする請求項２に記載のウィルキー。
【請求項４】
記第２の操作杆（１３ｂ）は、前記第１の操作杆（１３ａ）の先端部に設けられていることを特徴とする請求項２に記載のウィルキー。
【請求項５】
前記操作部（２３）は、前記把持杆（２２）の軸線に対してそれぞれ交差して設けられた第１の操作杆（２３ａ）と第２の操作杆（２３ｂ）とからなり、
前記固定脚は、前記第１の操作杆の先端側端部に設けられた第１の固定脚（２４）と基端側端部に設けられた第２の固定脚（２５）と、前記第２の操作杆の先端側端部に設けられた第３の固定脚（２６）と基端側端部に設けられた第４の固定脚（２７）とからなり、
前記第１の固定脚と前記第２の固定脚、および前記第３の固定脚と前記第４の固定脚とがそれぞれ一組となることを特徴とする請求項１に記載のウィルキー。
【発明の詳細な説明】
【技術分野】
【０００１】
本発明は、配管弁等のハンドルを回転操作する際に使用する弁の開閉操作用工具であるウィルキーに係り、特に操作すべき弁のハンドルの周囲に柱等の障害部材が存在する場合であっても、使用する固定脚の組み合わせを選択することにより、容易かつ確実にハンドルの回転操作を行うことができるウィルキーに関するものである。
【背景技術】
【０００２】
従来から、配管弁、マニホールド弁、計器元弁等のハンドルを回転させる際に、その弁を容易に開閉できるようにウィルキーが使用されている。例えば、従来のウィルキー（５１）は、従来のウィルキーをハンドルの孔に挿入した状態を示した側断面図である図１０に示すように、操作杆（５２）の先端側に、操作杆５２の軸線と直交し合う一対の固定脚（５３，５４）が設けられた形状となっている。このようなウィルキー（５１）は、一対の固定脚（５３）から固定脚（５４）までの寸法が、弁のハンドル（５５）の孔（５６）内に入る長さに設定されている。そして、ハンドル（５５）の孔（５６）内に、先端側の固定脚（５３）を挿入した状態で、操作杆（５２）を時計方向又は反時計方向に回転させることで弁を開閉操作することができるようになっている。
【０００３】
また、特許文献１の「ハンドル用ウィルキー」において、操作杆に、操作杆から延長された２本の固定脚と、操作杆に沿ってスライド自在に装着され固定脚に対して前進、後退可能な可動脚とを設け、前記固定脚と可動脚とを、操作杆から外側へ拡がる末広がり形状とした弁のハンドル用ウィルキーが提案されている。
【０００４】
この特許文献１に記載された弁のハンドル用ウィルキーによれば、一対の固定脚によるウィルキーでは固定脚の間隔が広すぎて使用できない径の小さいミニハンドルの場合であっても、可動脚をスライドし、固定脚と可動脚とをミニハンドルの外周線にかかるように設定することで、ミニハンドルの操作が可能となる。
【特許文献１】実開平６−１７８７４号公報
【発明の開示】
【発明が解決しようとする課題】
【０００５】
しかしながら、作業者がウィルキーを用いて弁のハンドルを回転させる際に、その弁のハンドルの取り付け位置によっては、操作杆が柱、パイプ、鋼材等の障害部材と干渉して弁の開閉動作が困難となってしまう場合があった。例えば、弁のハンドルを回転させる方向に柱等の障害部材が配設されていると、回転操作の途中で一旦、ハンドルからウィルキーを取り外し、操作杆が障害部材と干渉しない位置で再度ハンドルにウィルキーを取り付けて回転操作を続行しなければならない。
【０００６】
また、ウィルキーの着脱操作を行わずにハンドルの回転操作を行うことができる場合であっても、狭い空間内に手を差し込まなければならず、無理な姿勢での作業を強要される等、作業環境が悪化するおそれがあった。
【０００７】
本発明は、かかる問題点を解決するために創案されたものである。すなわち本発明の目的は、操作すべき弁のハンドルの周囲に柱等の障害部材が存在する場合であっても、操作すべき弁のハンドルの位置に合わせて使用する固定脚の組み合わせを選択することにより、容易かつ確実に弁のハンドルの回転操作を行うことが可能なウィルキーを提供することにある。
【課題を解決するための手段】
【０００８】
上記問題点を解決するため本発明は、弁のハンドル（７）を回転操作するウィルキー（１，１１，２１）であって、把持杆（２，１２，２２）と、該把持杆の先端側に設けられた操作部（３，１３，２３）と、該操作部に対して略直交して設けられた２組の固定脚（４と５，４と６；１４と１５，１４と１６；２４と２５，２６と２７）とを有し、前記各組の固定脚は、前記把持杆の軸線に対して軸対称となるとともに、前記把持杆の軸線に対して所定の傾斜角度となるように配設されていることを特徴とするウィルキーを提供する。
【０００９】
この場合、前記操作部（３，１３）は、前記把持杆（２，１２）の軸線の延長線上に設けられた第１の操作杆（３ａ，１３ａ）と、前記把持杆の軸線に対して略直交するように交差して設けられた第２の操作杆（３ｂ，１３ｂ）とからなり、前記固定脚は、前記第１の操作杆に設けられた第１の固定脚（４，１４）と、前記第２の操作杆の両先端部に設けられた第２の固定脚（５，１５）および第３の固定脚（６，１６）とからなり、前記第１の固定脚と前記第２の固定脚、および前記第１の固定脚と前記第３の固定脚とがそれぞれ一組となるように構成することが可能である。
【００１０】
また、前記第２の操作杆（３ｂ，１３ｂ）は、前記第１の操作杆（３ａ）の長さ方向の途中に設けることが可能であり、あるいは、前記第１の操作杆（１３ａ）の先端部に設けることが可能である。
【００１１】
また、前記操作部（２３）は、前記把持杆（２２）の軸線に対してそれぞれ交差して設けられた第１の操作杆（２３ａ）と第２の操作杆（２３ｂ）とからなり、前記固定脚は、前記第１の操作杆の先端側端部に設けられた第１の固定脚（２４）と基端側端部に設けられた第２の固定脚（２５）と、前記第２の操作杆の先端側端部に設けられた第３の固定脚（２６）と基端側端部に設けられた第４の固定脚（２７）とからなり、前記第１の固定脚と前記第２の固定脚、および前記第３の固定脚と前記第４の固定脚とがそれぞれ一組となるように構成することが可能である。
【発明の効果】
【００１２】
本発明のウィルキーでは、ハンドルの回転操作に支障をきたす位置に柱、パイプ、鋼材等の障害部材が存在する場合であっても、弁のハンドルの回転操作に用いる２組の固定脚のうちのいずれか一組を用いることにより、容易かつ確実に弁のハンドルの回転操作を行うことが可能となる。
【発明を実施するための最良の形態】
【００１３】
本発明のウィルキーは、操作者が把持するための把持杆と、この把持杆の先端側に設けられた操作部と、操作部に対して略直交して設けられた２組の固定脚とを有している。また、各組の固定脚は、把持杆の軸線に対して軸対称となるとともに、把持杆の軸線に対して所定の傾斜角度となるように配設されている。すなわち、本発明のウィルキーは、把持杆の軸線に対して傾斜して配設された２組の固定脚を備えているため、ハンドルの回転操作に支障をきたす位置に柱、パイプ、鋼材等の障害部材が存在する場合には、ハンドルの回転操作の邪魔にならないいずれか一組の固定脚を用いることができる。
【実施例１】
【００１４】
以下、本発明の好ましい実施の形態を図面を参照して説明する。
図１は実施例１に係るウィルキーの平面図である。図２は、実施例１に係るウィルキーの側面図である。図３は実施例１に係るウィルキーの操作状態を示す平面図である。
実施例１のウィルキー１は、図１および図２に示すように、作業者が把持して操作を行う棒状の把持杆２と、把持杆２の先端側に設けられた操作部３とを備えている。
操作部３は、把持杆２の軸線の延長線上に設けられた第１の操作杆３ａと、第１の操作杆３ａの途中に、把持杆２の軸線に対して略直交するように交差して設けられた第２の操作杆３ｂとからなる。なお、把持杆２、第１の操作杆３ａ、および第２の操作杆３ｂは一体に設けられており、ウィルキー全体として略十字架状となっている。
【００１５】
第１の操作杆３ａの先端部には、第１の操作杆３ａの軸線に略直交して、第１の固定脚４が設けられている。また、第２の操作杆３ｂの両先端部には、第２の操作杆３ｂの軸線に略直交して、第２の固定脚５および第３の固定脚６が設けられている。なお、把持杆２の軸線に対して右側に位置する固定脚を第２の固定脚５とし、把持杆２の軸線に対して左側に位置する固定脚を第３の固定脚６とする。
実施例１では、第１の固定脚４と第２の固定脚５、および第１の固定脚４と第３の固定脚６とがそれぞれ一組となって使用される。
【００１６】
図３に示すように、一組の固定脚は、その一方をハンドル７の孔７ａ内に挿入し、他方をハンドル７の外周部に押し当てて、把持杆２を操作することによりハンドル７を回転させる部材であり、操作するハンドル７の大きさ（直径）等に合わせて、太さおよび間隔が調整されている。
【００１７】
実施例１のウィルキー１を用いて弁の開閉操作を行うには、図３に示すように、二組の固定脚のうちのいずれか一組の固定脚を用いる。すなわち、固定脚の一方をハンドル７の孔７ａ内に挿入し、他方の固定脚をハンドル７の外周に押し当て、把持杆２を左回り（反時計回り）あるいは右回り（時計回り）に回せばよい。一般的な弁では、把持杆２を左回り（反時計回り）に回すことにより弁を開くことができ、把持杆２を右回り（時計回り）に回すことにより弁を閉じることができる。
【００１８】
この際、図３に示すように、把持杆２の回動方向に、柱、パイプ、鋼材等の障害部材８が存在する場合には、この障害部材８と干渉しない組み合わせとなっている一組の固定脚を使用する。すなわち、図３に示す例では、破線で示すように、第１の固定脚４および第３の固定脚６の組み合わせを用いてハンドル７を右回り（時計回り）に回そうとすると、把持杆２の回動方向に障害部材８が存在するため、ハンドル７の回転操作が困難となる。
【００１９】
そこで、図３において実線で示すように、第１の固定脚４および第２の固定脚５の組み合わせを用いてハンドル７を右回り（時計回り）に回せば、把持杆２の回動方向に障害部材８が存在する場合であっても、ハンドル７の回転操作を容易に行うことができる。
【００２０】
なお、第１の実施例において、把持杆２、第１の操作杆３ａ、および第２の操作杆３ｂの長さや、第１の固定脚４、第２の固定脚５、および第３の固定脚６の位置、太さ、長さ等は、適宜変更して実施することができる。
【００２１】
このように、実施例１のウィルキー１によれば、ハンドル７の回転操作に支障をきたす位置に柱、パイプ、鋼材等の障害部材８が存在する場合であっても、使用する固定脚の組み合わせを変更することにより、容易かつ確実にハンドル７の回転操作を行うことができる。
【実施例２】
【００２２】
図４は実施例２に係るウィルキーの平面図である。図５は実施例２に係るウィルキーの側面図である。図６は実施例２に係るウィルキーの操作状態を示す平面図である。
実施例２のウィルキー１１は、図４および図５に示すように、作業者が把持して操作を行う棒状の把持杆１２と、把持杆１２の先端側に設けられた操作部１３とを備えている。
操作部１３は、把持杆１２の軸線の延長線上に設けられた第１の操作杆１３ａと、第１の操作杆１３ａの先端に、把持杆１２の軸線に対して略直交するように交差して設けられた第２の操作杆１３ｂとからなる。なお、把持杆１２、第１の操作杆１３ａ、および第２の操作杆１３ｂは一体に設けられており、ウィルキー全体として略Ｔ字状となっている。
【００２３】
第１の操作杆１３ａの把持杆１２側には、第１の操作杆１３ａの軸線に略直交して、第１の固定脚１４が設けられている。また、第２の操作杆１３ｂの両先端部には、第２の操作杆１３ｂの軸線に略直交して、第２の固定脚１５および第３の固定脚１６が設けられている。なお、把持杆１２の軸線に対して右側に位置する固定脚を第２の固定脚１５とし、把持杆１２の軸線に対して左側に位置する固定脚を第３の固定脚１６とする。
実施例２では、第１の固定脚１４と第２の固定脚１５、および第１の固定脚１４と第３の固定脚１６とがそれぞれ一組となって使用される。
【００２４】
図６に示すように、一組の固定脚は、その一方をハンドル７の孔７ａ内に挿入し、他方をハンドル７の外周部に押し当てて、把持杆１２を操作することによりハンドル７を回転させる部材であり、操作するハンドル７の大きさ（直径）等に合わせて、太さおよび間隔が調整されている。
【００２５】
実施例２のウィルキー１１を用いて弁の開閉操作を行うには、図６に示すように、二組の固定脚のうちのいずれか一組の固定脚を用いる。すなわち、固定脚の一方をハンドル７の孔７ａ内に挿入し、他方の固定脚をハンドル７の外周に押し当て、把持杆１２を左回り（反時計回り）あるいは右回り（時計回り）に回せばよい。一般的な弁では、把持杆１２を左回り（反時計回り）に回すことにより弁を開くことができ、把持杆１２を右回り（時計回り）に回すことにより弁を閉じることができる。
【００２６】
この際、図６に示すように、把持杆１２の回動方向に、柱、パイプ、鋼材等の障害部材８が存在する場合には、この障害部材８と干渉しない組み合わせとなっている一組の固定脚を使用する。すなわち、図６に示す例では、破線で示すように、第１の固定脚１４および第２の固定脚１５の組み合わせを用いてハンドル７を右回り（時計回り）に回そうとすると、把持杆１２の回動方向に障害部材８が存在するため、ハンドル７の回転操作が困難となる。
【００２７】
そこで、図６において実線で示すように、第１の固定脚１４および第３の固定脚１６の組み合わせを用いてハンドル７を右回り（時計回り）に回せば、把持杆１２の回動方向に障害部材８が存在する場合であっても、ハンドル７の回転操作を容易に行うことができる。
【００２８】
なお、第２の実施例において、把持杆１２、第１の操作杆１３ａ、および第２の操作杆１３ｂの長さや、第１の固定脚１４、第２の固定脚１５、および第３の固定脚１６の位置、太さ、長さ等は、適宜変更して実施することができる。
【００２９】
このように、実施例２のウィルキー１１によれば、ハンドル７の回転操作に支障をきたす位置に柱、パイプ、鋼材等の障害部材８が存在する場合であっても、使用する固定脚の組み合わせを変更することにより、容易かつ確実にハンドル７の回転操作を行うことができる。
【実施例３】
【００３０】
図７は実施例３に係るウィルキーの平面図である。図８は実施例３に係るウィルキーの側面図である。図９は実施例３に係るウィルキーの操作状態を示す平面図である。
実施例３のウィルキー２１は、図７および図８に示すように、作業者が把持して操作を行う棒状の把持杆２２と、把持杆２２の先端側に設けられた操作部２３とを備えている。
操作部２３は、把持杆２２の軸線に対してそれぞれ交差して設けられた第１の操作杆２３ａと第２の操作杆２３ｂとからなる。なお、把持杆２２、第１の操作杆２３ａ、および第２の操作杆２３ｂは一体に設けられており、ウィルキー全体としてＩ字状の把持杆２２の先端に略Ｘ字状の操作部２３が設けられた形状となっている。
【００３１】
第１の操作杆２３ａの先端側端部には第１の固定脚２４が設けられており、基端側端部には第２の固定脚２５が設けられている。また、第２の操作杆２３ｂの先端側端部には第３の固定脚２６が設けられており、基端側端部には第４の固定脚２７が設けられている。なお、把持杆２２の軸線に対して右側に位置する固定脚を第１の固定脚２４および第４の固定脚２７とし、把持杆２２の軸線に対して左側に位置する固定脚を第２の固定脚２５および第３の固定脚２６とする。実施例３では、第１の固定脚２４と第２の固定脚２５、および第３の固定脚２６と第４の固定脚２７とがそれぞれ一組となって使用される。
【００３２】
図９に示すように、一組の固定脚は、その一方をハンドル７の孔７ａ内に挿入し、他方をハンドル７の外周部に押し当てて、把持杆２２を操作することによりハンドル７を回転させる部材であり、操作するハンドル７の大きさ（直径）等に合わせて、太さおよび間隔が調整されている。
【００３３】
実施例３のウィルキー２１を用いて弁の開閉操作を行うには、図９に示すように、二組の固定脚のうちのいずれか一組の固定脚を用いる。すなわち、固定脚の一方をハンドル７の孔７ａ内に挿入し、他方の固定脚をハンドル７の外周に押し当て、把持杆２２を左回り（反時計回り）あるいは右回り（時計回り）に回せばよい。一般的な弁では、把持杆２２を左回り（反時計回り）に回すことにより弁を開くことができ、把持杆２２を右回り（時計回り）に回すことにより弁を閉じることができる。
【００３４】
この際、図９に示すように、把持杆２２の回動方向に、柱、パイプ、鋼材等の障害部材８が存在する場合には、この障害部材８と干渉しない組み合わせとなっている一組の固定脚を使用する。すなわち、図９に示す例では、破線で示すように、第１の固定脚２４および第２の固定脚２５の組み合わせを用いてハンドル７を右回り（時計回り）に回そうとすると、把持杆２２の回動方向に障害部材８が存在するため、ハンドル７の回転操作が困難となる。
【００３５】
そこで、図９において実線で示すように、第３の固定脚２６および第４の固定脚２７の組み合わせを用いてハンドル７を右回り（時計回り）に回せば、把持杆２２の回動方向に障害部材８が存在する場合であっても、ハンドル７の回転操作を容易に行うことができる。
【００３６】
なお、第３の実施例において、把持杆２２、第１の操作杆２３ａ、および第２の操作杆２３ｂの長さ、交差角度や、第１の固定脚２４、第２の固定脚２５、第３の固定脚２６、および第４の固定脚２７の位置、太さ、長さ等は、適宜変更して実施することができる。
【００３７】
このように、実施例３のウィルキー２１によれば、ハンドル７の回転操作に支障をきたす位置に柱、パイプ、鋼材等の障害部材８が存在する場合であっても、使用する固定脚の組み合わせを変更することにより、容易かつ確実にハンドル７の回転操作を行うことができる。
【００３８】
なお、上述した例では、把持杆と操作部とを一体に構成したウィルキーについて説明したが、把持杆と操作部とを別体として構成し、弁のハンドルの形状に適合する固定脚を備えた複数種類の操作部を用意し、回転操作すべき弁のハンドルの形状に適合させて操作部を交換することや、把持杆の先端に屈曲して形成した多角形（例えば六角柱）の突起を操作部の中心部に形成した孔（六角孔）に嵌合させるようにすることで把持杆に対する操作部の取り付け角度の選択を可能とすること、固定脚を着脱式とするとともに操作杆に固定脚を取り付けるための複数の取付穴を複数形成しておくことで固定脚の取付位置を選択可能とするなど、本発明の要旨を逸脱しない範囲で種々変更できることは勿論である。
【産業上の利用可能性】
【００３９】
本発明のウィルキーは、主に、ハンドルの回転操作に支障をきたす位置に柱、パイプ、鋼材等の障害部材が存在する場合に、弁のハンドルの回転操作に用いる２組の固定脚のうちのいずれか一組を用いることにより、容易かつ確実に弁のハンドルの回転操作を行う際に利用することができる。
【図面の簡単な説明】
【００４０】
【図１】本発明の実施例１に係るウィルキーの平面図である。
【図２】本発明の実施例１に係るウィルキーの側面図である。
【図３】本発明の実施例１に係るウィルキーの操作状態を示す平面図である。
【図４】本発明の実施例２に係るウィルキーの平面図である。
【図５】本発明の実施例２に係るウィルキーの側面図である。
【図６】本発明の実施例２に係るウィルキーの操作状態を示す平面図である。
【図７】本発明の実施例３に係るウィルキーの平面図である。
【図８】本発明の実施例３に係るウィルキーの側面図である。
【図９】本発明の実施例３に係るウィルキーの操作状態を示す平面図である。
【図１０】従来のウィルキーをハンドルの孔に挿入した状態を示した側断面図である。
【符号の説明】
【００４１】
１  ウィルキー（実施例１）
２  把持杆
３  操作部
３ａ  第１の操作杆
３ｂ  第２の操作杆
４  第１の固定脚
５  第２の固定脚
６  第３の固定脚
７  ハンドル
７ａ  孔
８  障害部材
１１  ウィルキー（実施例２）
１２  把持杆
１３  操作部
１３ａ  第１の操作杆
１３ｂ  第２の操作杆
１４  第１の固定脚
１５  第２の固定脚
１６  第３の固定脚
２１  ウィルキー（実施例３）
２２  把持杆
２３  操作部
２３ａ  第１の操作杆
２３ｂ  第２の操作杆
２４  第１の固定脚
２５  第２の固定脚
２６  第３の固定脚
２７  第４の固定脚
５１  ウィルキー
５２  操作杆
５３，５４  固定脚
５５  ハンドル
５６  孔
【図１】
2008044062.tif 000003
【図２】
2008044062.tif 000004
【図３】
2008044062.tif 000005
【図４】
2008044062.tif 000006
【図５】
2008044062.tif 000007
【図６】
2008044062.tif 000008
【図７】
2008044062.tif 000009
【図８】
2008044062.tif 000010
【図９】
2008044062.tif 000011
【図１０】
2008044062.tif 000012